(57)【要約】【課題】低温下においても、表示手段により支障なく撮影動作の設定操作が可能な撮像装置の表示装置を提供する。【解決手段】撮像装置の表示装置は、温度を検出する温度検出手段１４と、撮影動作に関する情報を光学ファインダ視野内に表示するための機能が温度依存性を持つ第一の表示手段１６と、画像データを電子的に表示するための第二の表示手段２５を有する。所定操作が要求されたとき、温度検出手段による検出温度が所定値以上である場合に、第一の表示手段の機能を有効にする第一の表示モードとされ、検出温度が所定値未満である場合に、第二の表示手段の機能を有効にする第二の表示モードとされる。【選択図】図１
2010258510.tif 000002
【特許請求の範囲】
【請求項１】
温度を検出する温度検出手段と、
撮影動作に関する情報を光学ファインダ視野内に表示するための機能が温度依存性を持つ第一の表示手段と、
画像データを電子的に表示するための第二の表示手段と、を有し、
所定操作が要求されたときに、
前記温度検出手段による検出温度が所定値以上であった場合に、前記第一の表示手段の機能を有効にする第一の表示モードとされ、
前記温度検出手段による検出温度が所定値未満であった場合に、前記第二の表示手段の機能を有効にする第二の表示モードとされる、
ことを特徴とする撮像装置の表示装置。
【請求項２】
前記第二の表示手段は、前記第一の表示手段による表示を見るための接眼部と同一方向を向いた表示面を有することを特徴とする請求項１に記載の撮像装置の表示装置。
【請求項３】
前記所定操作は、焦点検出点選択、絞り値選択、シャッタスピード選択、構図補助線選択、露出補正選択、調光補正選択、記録画像圧縮率選択、記録画像サイズ選択、ＩＳＯ感度選択、連写／単写モード選択、ホワイトバランス選択、測光モード選択の何れかに関する操作であることを特徴とする請求項１または２に記載の撮像装置の表示装置。
【請求項４】
前記第二の表示手段は、第一の明るさ設定で表示が開始され、所定時間が経過した後に前記第一の明るさ設定よりも明るい第二の明るさ設定に切り替えられることを特徴とする請求項１から３の何れか１項に記載の撮像装置の表示装置。
【請求項５】
撮影者の撮像装置に対する接眼状況を検出する接眼検出手段を有し、
前記第二の表示手段は、第一の明るさ設定で表示が開始され、前記接眼検出手段により撮像装置に対する非接眼状態が検出された後に前記第一の明るさ設定よりも明るい第二の明るさ設定に切り替えられることを特徴とする請求項１から３の何れか１項に記載の撮像装置の表示装置。
【請求項６】
接眼部と同じ方向の外光照度を検出する外光照度検出手段を有し、
前記第二の表示手段は、第一の明るさ設定で表示が開始され、前記外光照度検出手段の検出結果が所定以上変化した後に前記第一の明るさ設定よりも明るい第二の明るさ設定に切り替えられることを特徴とする請求項１から３の何れか１項に記載の撮像装置の表示装置。
【発明の詳細な説明】
【技術分野】
【０００１】
本発明は、ファインダ装置などを含む撮像装置の表示装置に関し、更に詳しくは、撮像動作に関わる設定情報を表示するための表示手段を備える撮像装置の表示装置に関する。
【背景技術】
【０００２】
従来、一眼レフカメラ等の撮像装置は、被写体に対する合焦状態を測定してオートフォーカスを行うものが普及している。近年は、複数の焦点検出点を有するカメラも普及し、ユーザが任意に焦点検出点を選択可能となっている。また、焦点検出点選択操作の際には、光学ファインダを覗きながら、選択した焦点検出点をユーザが視認できる様にするため、ピント板に形成した焦点検出点表示枠をＬＥＤなどの発光体の光で直接照射して表示する方法が知られている。
【０００３】
一方、焦点検出点の数が多くなるとＬＥＤなどの照射光学系が複雑になることから、ファインダ装置にＰＮ（ＰＯＬＹＭＥＲ  ＮＥＴＷＯＲＫ）液晶部材を使用する方法も知られている。ＰＮ液晶は、電圧印加時は透過になり、非印加時は非透過になるという特性を有しており、ＬＥＤなどの光源から来て非透過部で反射した光を視認することができる。ＰＮ液晶方式は、上記ＬＥＤ照射方式に比べ自由度の高い表示内容を形成することができ、焦点検出点だけではなく、文字などの複雑な図形の表示も可能となる。
【０００４】
一方、他の液晶デバイスと同様、ＰＮ液晶も低温下で応答速度が劣化することが知られている。また、非透過状態から透過状態への切り替わり（表示オフ）動作に比べ、透過状態から非透過状態への切り替わり（表示オン）動作の方が、より応答速度が低下してしまう。図７は、低温下における制御信号と液晶透過率の関係を示す。図示する通り、表示オン期間ｔが短い制御を行うと、非透過状態にならない。従って、焦点検出点選択のように表示オン動作、表示オフ動作を短い間隔で行う操作では、液晶が透過状態から非透過状態へ十分に切り替わる前に再び透過状態に戻ることがある。こうして、ユーザが正しく焦点検出点を選択できない状況が生じることがある。これに対し、光学ファインダ内の有効エリア外において、交差する２つの方向に沿ってそれぞれ表示器を設け、それらを組み合わせて選択焦点検出点の位置を表示する撮像装置が提案されている（特許文献１参照）。
【先行技術文献】
【特許文献】
【０００５】
【特許文献１】特許第３３７１４９３号公報
【発明の概要】
【発明が解決しようとする課題】
【０００６】
しかし、特許文献１に記載の方法では焦点検出点の数が多くなった場合、焦点検出点位置の識別が容易ではなくなる可能性がある。また、有効エリア外の表示器のサイズも大きくなってしまうことから、ファインダ周辺の小型化の制約となってしまう。
【課題を解決するための手段】
【０００７】
本発明の撮像装置の表示装置は、次の特徴を有する。温度を検出する温度検出手段と、撮影動作に関する情報を光学ファインダ視野内に表示するための機能が温度依存性を持つ第一の表示手段と、画像データを電子的に表示するための第二の表示手段を有する。そして、所定操作が要求されたときに、前記温度検出手段による検出温度が所定値以上であった場合に、前記第一の表示手段の機能を有効にする第一の表示モードとされる。また、前記温度検出手段による検出温度が所定値未満であった場合に、前記第二の表示手段の機能を有効にする第二の表示モードとされる。
【発明の効果】
【０００８】
本発明の撮像装置の表示装置によれば、光学ファインダ内表示装置などである第一の表示手段が十分に機能しない低温状況では、第一の表示手段に代わって、外部表示装置などである第二の表示手段の表示機能を有効にする。従って、低温状況でも、外部表示装置などである第二の表示手段による表示を用いて、支障なく撮影動作の設定操作が可能となる。
【図面の簡単な説明】
【０００９】
【図１】本発明の表示装置の第一の実施例のシステム構成図。
【図２】第一の実施例のメインフローチャートとファインダ液晶の表示例を示す図。
【図３】ファインダ液晶の焦点検出点表示のタイミングチャート。
【図４】第二の実施例のシステム構成とメインフローチャートを示す図。
【図５】第三の実施例のシステム構成とメインフローチャートを示す図。
【図６】本発明の第二の表示手段の例を示すカメラの背面斜視図。
【図７】低温下でのＰＮ液晶の応答性を説明する図
【発明を実施するための形態】
【００１０】
以下、本発明の実施形態について説明する。本発明のファインダ装置において重要なことは、次の点である。機能が温度依存性を持つ第一の表示手段と電子的な第二の表示手段を持つ撮像装置の表示装置において、温度が所定値以上である場合に、第一の表示手段の機能を有効にし、所定値未満である場合に、第二の表示手段の機能を有効にすることである。
【００１１】
上記考え方に基づき、本発明の撮像装置のファインダ装置の基本的な実施形態は、次の様な構成を有する。装置は、温度を検出する温度検出手段と、焦点検出点選択などの撮影動作に関する情報を光学ファインダ視野内に表示するための機能が温度依存性を持つ第一の表示手段と、画像データを電子的に表示するための第二の表示手段を有する。第一の表示手段は、高分子分散液晶（ＰＮ液晶）、ツイステッド・ネマチック（ＴＮ）液晶などを含んで構成される。第二の表示手段は、ＴＦＴ液晶からなるモニター用液晶表示手段などで構成される。そして、例えば所定のスイッチ操作が検出されて所定操作が要求されたときに、温度検出手段による検出温度が所定値（例えば、摂氏マイナス５度、マイナス１０度など）以上であった場合に、第一の表示手段の機能を有効にする第一の表示モードとされる。他方、前記温度検出手段による検出温度が所定値未満であった場合に、前記第二の表示手段の機能を有効にする第二の表示モードとされる。
【００１２】
（第一の実施例）
図面を参照して第一の実施例を説明する。
図１は、本発明を適用した表示装置の第一の実施例を含む電子カメラシステムの構成を示す。図１の構成において、被写体からの光束は光学レンズ１を通過した後、メインミラー２が上がった状態であるならば個体撮像素子３上に像を結ぶ。結像された被写体像は、Ａ／Ｄ変換回路４によりＡＤ変換され、デジタルデータ化される。固体撮像素子３とＡ／Ｄ変換回路４はタイミング信号発生回路（ＴＧ）５により生成されるパルスに同期して、画素電荷の蓄積動作及び読み出し動作を行う。
【００１３】
メモリ制御回路６は、システム制御回路７の制御のもと、揮発性メモリ８、画像処理回路９、記録用メモリ１０、外部表示回路１１におけるデータ送受の制御を行う。システム制御回路７は電子カメラ全体を制御する回路であり、かつ、種々の演算を行う演算処理回路も兼ねている。揮発性メモリ８は、ＳＤＲＡＭなどの高速アクセス可能なメモリである。不揮発性メモリ１２はシステム制御回路７の動作用の定数、変数、プログラムを記録するメモリである。操作スイッチ１３は、ユーザが種々のカメラ操作を行うための入力デバイスである。外部表示回路１１は、ＬＣＤディスプレイなどの表示デバイスである第二の表示手段である外部表示部２５を制御して、撮影画像をフルカラー表示することが可能である。更に、外部表示回路１１は、操作スイッチ１３と外部表示部２５の表示を組み合わせたＧＵＩ操作入力デバイスとして使用できる。記録用メモリ１０は電子カメラから着脱可能となっており、メモリの空き容量が不足した場合は交換が可能な仕組みとなっている。
【００１４】
一方、メインミラー２が下がった状態であるならば、被写体像はピント板１５に結像される。ユーザは、接眼部１８よりペンタプリズム１７を介して、結像された像を視認できる。ファインダ液晶１６はＰＮ液晶で形成される第一の表示手段である表示装置であり、システム制御回路７からの駆動命令に応じて、液晶ドライバ回路１９により被写体光束の透過、非透過を制御される。温度検出手段である温度検出回路１４は、カメラ内部及び外部の温度を検出するセンサであり、検出した温度情報はシステム制御回路７に入力される。本実施例では、外部表示部２５の表示面は、ファインダ液晶１６による表示を見るための接眼部１８と同一方向を向いている。従って、撮影者が接眼部１８を覗き込んでいる場合でも、外部表示部２５の点灯（表示機能有効）・消灯（表示機能無効）の区別が可能な構成となっている。カメラを背面から見た図６に、接眼部１８と外部表示部２５の表示面の位置関係の一例を示す。ただし、この位置関係は、こうした例に限られるものではなく、外部表示部がカメラ本体に対して可動になっていて接眼部と外部表示部の位置関係が可変である形態なども可能である。
【００１５】
本実施例の主フローチャートを図２（ａ）に沿って説明する。
カメラ電源がオンにされて動作が開始（Ｓ１００）された後、システム制御回路７が操作スイッチ１３による焦点検出点選択操作を検出すると（Ｓ１０２）、システム制御回路７は温度検出回路１４より温度情報Ｔｏｎを取得する（Ｓ１０４）。Ｔｏｎが所定温度以上（Ｔｏｎ≧Ｔｔｈ）であるならば（Ｓ１０６）、システム制御回路７は液晶ドライバ回路１９に対して駆動命令を実行する。液晶ドライバ回路１９は与えられた駆動命令を元に、ファインダ液晶１６への印加信号を生成し、ファインダ視野内で所定の表示を行う（Ｓ１０８）。図２（ｂ）と図２（ｃ）はファインダ液晶１６における表示の例を示す。図２（ｂ）は複数の焦点検出点のうち中央の点を選択している状態を示し、二重実線は液晶が非透過、すなわち視認できる状態であることを示す。一方、点線で示した焦点検出点（ｃ４以外）は透過の状態を模式的に示している（実際にはファインダ視野内で見えない）。これらの表示は、表示に対応したパターンのＩＴＯなどの透明電極への印加信号の制御により行われる。ファインダ液晶１６がＰＮ液晶で形成される場合、透明電極への電圧印加でその部分の液晶が透過状態となり、透明電極への電圧非印加でその部分の液晶が非透過状態となって表示が行われる。
【００１６】
図２（ｃ）は、中央の焦点検出点（ｃ４）から右端の焦点検出点（ｃ７）に移動させる場合の例を示す。操作スイッチ１３に含まれる方向キーや回転ダイヤルを用いて選択操作が行われると（Ｓ１１０）、システム制御回路７は、選択した焦点検出点が非透過になるように液晶ドライバ回路１９を介して表示を制御する。図３のタイミングチャートは、焦点検出点選択操作と各焦点検出点（ｃ４〜ｃ７）の透過率の関係を示す。図の通り、ｃ７を選択する途中に通過したｃ５、ｃ６の点は、一次的に点灯状態（非透過状態）となる。なお、図において、必ずしも測距するわけではないが、従来の表現を踏襲して、「焦点検出」を短く「測距」と記している。システム制御回路７は、操作スイッチ１３による撮影開始動作を検出（Ｓ１１２）すると、ファインダ液晶１６を消灯（透過状態）し（Ｓ１１４）、撮影準備状態となる。この状態で、レリーズスイッチを半押しから全押しにすると、光学ファインダ視野内で選択された焦点検出点において合焦状態にされて撮影が行われる。
【００１７】
一方、Ｓ１０６において、温度情報Ｔｏｎが所定温度未満（Ｔｏｎ＜Ｔｔｈ）であった場合は、システム制御回路７は外部表示回路１１に対して表示開始命令を実行する。外部表示回路１１は命令に基づき、第一の明るさ設定である光量Ｌ１にて外部表示部２５における表示を開始する（Ｓ１１６）。ここで、光量Ｌ１はユーザがファインダを覗いている状態でも眩しくならない程度の明るさとしている。次に、システム制御回路７は内蔵タイマのタイマカウント値（Ｃ）をクリアした後（Ｓ１１８）、タイマ動作を開始する（Ｓ１２０）。タイマカウント値が閾値未満（Ｃ＜Ｃｔｈ）であるならば（Ｓ１２２）、Ｓ１２０の動作に戻る。一方、タイマカウント値が閾値以上（Ｃ≧Ｃｔｈ）であり所定時間が経過した後であるならば、システム制御回路７は外部表示回路１１による外部表示部２５での表示の明るさを、第一の明るさ設定よりも明るい第二の明るさ設定である所定光量Ｌ２に切り替える。ここで、光量Ｌ２はユーザが予め設定する光量であり、Ｌ１よりも明るい設定となる。タイマカウント閾値（Ｃｔｈ）は、ユーザがカメラを顔から離す時間を見越して設定する値である。
【００１８】
ここで、操作スイッチ１３により焦点検出点選択操作が行われた場合（Ｓ１２６）には、いわゆるＧＵＩ操作が可能である。この際、例えば指による操作でもって、外部表示回路１１で制御された外部表示部２５の表示画面を更新（Ｓ１２８）することで、ファインダ液晶１６における選択と同様の焦点検出点選択を行うことができる。操作スイッチ１３による撮影開始動作をシステム制御回路７が検出した場合（Ｓ１３０）、外部表示回路１１による表示を消灯し（Ｓ１３２）、撮影動作準備状態となる。ここでも、この状態で、レリーズスイッチを半押しから全押しにすると、上記ＧＵＩ操作により選択された焦点検出点において合焦状態にされて撮影が行われる。
【００１９】
上記の通り、本実施例によれば、焦点検出点選択などの操作に応じた表示を行う上で、ファインダ液晶１６が十分機能しない温度条件下では、自動的に外部表示回路１１を有効にしファインダ液晶１６と同様の焦点検出点選択画面を表示する。これにより、外部表示部２５においてＧＵＩによる焦点検出点選択操作が可能となる。また、外部表示部２５を点灯する際には、初めに暗い光量で表示を開始し、所定時間後に明るい光量に変更することで、ファインダ内を覗いているユーザに不快な思いをさせることがない。この様に、第一の表示手段であるファインダ内表示器（ＰＮ液晶等）の応答性が劣化する低温下においても操作性を損なうことなく、焦点検出点選択操作などを行えるようなる。
【００２０】
なお、本実施例においては焦点検出点選択操作について説明を行ったが、ファインダ液晶１６に表示される選択操作であれば同様に実施することが可能である。例えば、絞り値選択、シャッタスピード選択、写真の美的効果などを上げるために被写体像と重ねてスーパーインポーズ表示される構図補助線を選択操作する際の構図補助線選択、露出補正選択、調光補正選択、記録画像圧縮率選択、記録画像サイズ選択、ＩＳＯ感度選択、連写／単写モード選択、ホワイトバランス選択、測光モード選択操作である。これらの選択操作も、表示形態が異なるのみで、本質的に上記選択操作と同様に行われる。
【００２１】
（第二の実施例）
図４を用いて第二の実施例を説明する。本実施例では、接眼検出回路２０が接眼部１８付近に配置されており、撮影者が接眼部１８を覗き込むと接眼状態を検出し、システム制御回路７に通知する構成となっている。その他の構成は第一の実施例と同様である。
【００２２】
図４（ｂ）の主フローチャートで示すように、本実施例のＳ２００〜Ｓ２１６のフローは、第一の実施例のＳ１００〜Ｓ１１６のフローと同様である。本実施例では、Ｓ２１８において、システム制御回路７は、撮影者の撮像装置に対する接眼状況を検出する接眼検出手段である接眼検出回路２０の出力信号を元に接眼状態を監視する。具体的には、接眼検出回路２０から出力されるアナログ信号を、システム制御回路７内蔵の不図示のＡ／Ｄ変換回路にてデジタルデータ化し、距離情報（Ｄ）を算出する。距離情報が接眼閾値以上（Ｄ≧Ｄｔｈ）になり撮像装置に対する非接眼状態が検出されると、外部表示部２５の明るさを、表示開始時の第一の明るさ設定（Ｌ１）よりも明るい第二の明るさ設定である所定光量Ｌ２に変更する（Ｓ２２０）。ここで、光量Ｌ２はユーザが予め設定する光量であり、Ｌ１よりも明るい設定となる。接眼閾値（Ｄｔｈ）は撮影者の顔が接眼部１８から十分離れたと判断できる値に設定している。以下のフロー（Ｓ２２２〜Ｓ２２８）は第一の実施例と同等である。
【００２３】
上記の通り、本実施例によれば、ファインダ液晶１６が十分機能しない温度条件下では、自動的に外部表示回路１１を有効にしファインダ液晶１６と同様の焦点検出点選択画面を外部表示部２５で表示する。これにより、ＧＵＩによる焦点検出点選択操作が可能になる。また、外部表示部２５を点灯する際には、初めに暗い光量で表示を開始し、撮影者の顔が十分に離れたことを検出した後に明るい光量に変更することで、ファインダ内を覗いているユーザに不快な思いをさせることがない。
【００２４】
（第三の実施例）
図５を用いて第三の実施例を説明する。本実施例では、接眼部１８と同じ方向の外光照度を検出する外光照度検出手段である外光照度検出回路２１は接眼部１８の開口部と同じ向きに配置されており、システム制御回路７に検出情報を通知する構成となっている。撮影者が接眼部１８を覗き込んだときには、撮影者の顔が近づくために外光照度検出回路２１の検出照度に影響を与える。具体的には、撮影者の顔が接眼部１８に近づいている時には検出照度は低くなり、撮影者の顔が接眼部１８から離れている時には検出照度が大きくなる。その他の構成は第一の実施例と同様である。
【００２５】
図５（ｂ）の主フローチャートで示すように、本実施例のＳ３００〜Ｓ３１６のフローは、第一の実施例のＳ１００〜Ｓ１１６のフローと同様である。本実施例では、Ｓ３１８において、システム制御回路７は、外光照度検出回路２１の出力信号を元に接眼状態を監視する。具体的には、外光照度検出回路２１から出力されるアナログ信号を、システム制御回路７内蔵の不図示のＡ／Ｄ変換回路にてデジタルデータ化し、検出照度の変化である照度情報（Ｅ）を算出する。照度情報が閾値以上（Ｅ≧Ｅｔｈ）になり外光照度検出回路２１の検出結果が所定以上変化した後に、外部表示部２５の明るさを、表示開始時の第一の明るさ設定（Ｌ１）よりも明るい第二の明るさ設定である所定光量Ｌ２に変更する（Ｓ３２０）。ここでも、光量Ｌ２はユーザが予め設定する光量であり、Ｌ１よりも明るい設定となる。閾値（Ｅｔｈ）は撮影者の顔が接眼部１８から十分離れたと判断できる値に設定している。以下のフロー（Ｓ３２２〜Ｓ３２８）は第一の実施例と同等である。
【００２６】
本実施例によっても、第二の実施例と同様な効果が得られる。
【符号の説明】
【００２７】
７  システム制御回路
１１  外部表示回路（第二の表示手段）
１３  操作スイッチ
１４  温度検出回路（温度検出手段）
１６  ファインダ液晶（第一の表示手段）
１８  接眼部
１９  液晶ドライバ回路（第一の表示手段）
２０  接眼検出回路（接眼検出手段）
２１  外光照度検出回路（外光照度検出手段）
２５  外部表示部（第二の表示手段）
【図１】
2010258510.tif 000003
【図２】
2010258510.tif 000004
【図３】
2010258510.tif 000005
【図４】
2010258510.tif 000006
【図５】
2010258510.tif 000007
【図６】
2010258510.tif 000008
【図７】
2010258510.tif 000009